(57)【特許請求の範囲】
【請求項１】
受容及び取り付けハウジングと、前記受容及び取り付けハウジングに枢動可能に接続されるローラキャリヤと、前記受容及び取り付けハウジングに対して前記ローラキャリヤを半径方向にかつ軸方向に支持するベアリングと、緊張力を印加するために前記ローラキャリヤと前記受容及び取り付けハウジングとの間に配置されるばねと、制動装置とを備えた牽引手段用緊張装置において、前記制動装置が、制動ブッシュを具備し、かつ摩擦によりその制動作用が緊張力の減少している方向よりも緊張力の増加している方向に大きくなるように、前記ローラキャリヤと前記受容及び取り付けハウジングとの間の運動を制動し、前記制動ブッシュ（９）へ摩擦力を印加するために、平らな帯状ばね（１０）が設けられ、前記平らな帯状ばねの第１端（１１）によって前記平らな帯状ばね（１０）が、前記受容及び取り付けハウジング（１）あるいは前記ローラキャリヤ（２）に固定され、かつ前記平らな帯状ばねの第２端（１２）によって回転可能に固定され、前記制動ブッシュ（９）が直径減少用のスロット（１５）を具備し、前記第２端（１２）によって前記帯状ばね（１０）が前記制動ブッシュ（９）に円周方向に二方向に固定される牽引手段用緊張装置。
【発明の詳細な説明】
【０００１】
【発明の属する技術分野】
本発明は、受容及び取り付けハウジングを有し、前記受容及び取り付けハウジングに枢動可能に接続されるローラキャリヤを有し、前記受容及び取り付けハウジングに対して前記ローラキャリヤを半径方向にかつ軸方向に支持するベアリングを有し、緊張力を印加するために前記ローラキャリヤと前記受容及び取り付けハウジングとの間に配置されるばねを有し、そして、制動装置を有し、この制動装置が制動ブッシュを含みそして摩擦により、制動作用が減少する緊張力の方向におけるより増大する緊張力の方向において大きいように前記ローラキャリヤと前記受容及び取り付けハウジングとの間の運動を制動する牽引手段用緊張装置、特にベルト緊張装置に関する。
【０００２】
【従来の技術】
自動車において、車両エンジンは、ジェネレータ、水冷による車両エンジン用の水ポンプ、操縦補助を備えた自動車用のサーボパワー用ポンプ及び空調装置用のコンプレッサのごとき種々の補助ユニットを駆動する。前記補助ユニットは車両エンジンのクランクシャフト上に位置決めされた主ベルトプーリによって、かつ一方で、主ベルトプーリを介してかつ、他方で、補助ユニットの駆動軸上に配置された補助ベルトプーリを介して動く無限駆動ベルトによって駆動される。補助ユニットの作用効率及び駆動ベルトの寿命は駆動ベルトの一定のベルト緊張の設定及び維持に非常に依存する。補助ユニットの作用効率を改善しかつ駆動ベルトの寿命を延長するために、一般に、制動装置からなり、その結果スリップ及び振動が補償されかつ減少され得るばね負荷のベルト緊張装置を使用することが慣例である。
【０００３】
本発明が牽引手段用緊張装置に関することは上述されている。上記では牽引手段用緊張装置、即ち、ベルト緊張装置の詳細が示されている。以下で、本発明によって取り扱われる牽引手段用緊張装置は、ベルト緊張装置として言及されかつ説明されるが、この牽引手段用緊張装置が他の用途に使用可能であると言う事実を変更するものでなく、即ち、ベルト緊張装置としてのみ使用されるものではない。
【０００４】
即ち、受容及び取り付けハウジングを含み、前記受容及び取り付けハウジングに枢動可能に接続されるローラキャリヤ、前記受容及び取り付けハウジングに対して前記ローラキャリヤを半径方向にかつ軸方向に支持するベアリング、緊張力を印加しかつ前記ローラキャリヤと前記受容及び取り付けハウジングとの間に配置されるばね、ならびに、制動装置を有しているベルト緊張装置の最初に記載した基本的な設計は一般に知られている。
【０００５】
その範囲で、ドイツ連邦共和国特許公開第３７２８１５８号、同第４１２４６３６号、同第４１３４３５４号、同第４３２６４６７号、同第４３４５１５０号、同第４４２７６８３号、同第１９５４０７０６号及び同第１９６０３５５８号が、ドイツ連邦共和国特許明細書第４３００１７８号及び同第４３２５４２４号が、ヨーロッパ特許公開第０２９４９１９号及び同第０８５８５６３号が、ならびに、アメリカ合衆国特許第４，６９８，０４９号及び同第４，４７２，１６２号が参照される。実質的な差異は、特に、制動装置に言及している。
【０００６】
ドイツ連邦共和国特許公開第１９５４０７０６号及び同第１９６０３５５８号及びヨーロッパ特許公開第０８５８５６３号から知られるベルト緊張装置の場合において、ベアリングの機能及び制動装置の機能が１つの構体に結合され、前記構体はばね力によって印加され、そして一方で、受容及び取り付けハウジングに対してローラキャリヤを半径方向にかつ軸方向に支持し、かつ、他方で、摩擦によって、ローラキャリヤと受容及び取り付けハウジングとの間の運動を制動する円錐型の摩擦ベアリングである。
【０００７】
前記従来のベルト緊張装置の欠点は、一方で、円錐型の摩擦ベアリングの回避し得ない磨耗により、ローラキャリヤが受容及び取り付けハウジングに対して軸方向に動き、かつ他方で、負荷の印加の方向における、即ち、増加する緊張力の方向における制動作用が負荷緩和の方向における、即ち、減少する緊張力の方向における制動作用と同一であるということである。
【０００８】
本発明に最も近い従来技術の状態はヨーロッパ特許公開第０２９４９１９号から知られるベルト緊張装置である。この従来のベルト緊張装置において、ドイツ連邦共和国特許公開第１９５４０７０６号及び同第１９６０３５５８号及びヨーロッパ特許公開第０２９４９１９号から知られるベルト緊張装置に固有である上述した２つの欠点を回避することができた。
【０００９】
ヨーロッパ特許公開第０２９４９１９号から知られるベルト緊張装置は円錐型の摩擦ベアリングを含まないので、かかる円錐型の摩擦ベアリングに関する欠点、即ち、ローラキャリヤが受容及び取り付けハウジングに対して軸方向に動く欠点は回避された。ヨーロッパ特許公開第０２９４９１９号から知られるベルト緊張装置において、制動装置は増大する緊張力の方向における制動作用が減少する緊張力の方向におけるよりも大きいように設計されている。
【００１０】
細部に関するかぎり、ヨーロッパ特許公開第０２９４９１９号によるベルト緊張装置に使用された制動装置は、制動ブッシュ及びこの制動ブッシュのまわりに位置決めされ、その第１端が受容及び取り付けハウジングに堅固に接続されかつその他端がばね力に従わされる帯体を具備する。帯体を緊張させるためのばね力は受容及び取り付けハウジング上の追加の螺旋ばねによってまたは緊張力を印加するのに主として役立つばねによって印加され、図示実施例においては、脚部ばねの形のコイルばねである。
【００１１】
【発明が解決しようとする課題】
第1の変形例は、かなりの追加の手段の要求、特に追加的に要求される螺旋ばねがあるという不都合がある。第２の変形例は、緊張力を印加するのに役立つばねの設計が、また、ベルト緊張装置の制動特性を決定するので不都合である。制動特性に望ましい自由度がかくして失われている。
【００１２】
本発明の目的は、本発明が、特に、従来のベルト緊張装置よりコスト的に有効に製造され得るように基礎が置かれるベルト緊張装置の設計及び製造技術を簡単化することにある。
【００１３】
上述した目的を達成する本発明のベルト緊張装置は、初めにかつ主として、制動ブッシュに摩擦力を印加するために平らな帯状ばねが設けられ、前記平らな帯状ばねが、その第１端によって受容及び取り付けハウジングにまたはローラキャリヤに対して回転不能状態に固定されかつその第２端によって制動ブッシュに固定されることを特徴としている。
【００１４】
ここで一般的に言及されている型式のベルト緊張装置において、スリップ及び振動を補償または減少する制動効果は、ローラキャリヤ及び受容及び取り付けハウジングとの間の運動で発生する摩擦によって達成される。一方、このことは互いに対応して同心円的に延伸する各摩擦面を必要とし、該各摩擦面は一方が制動ブッシュの内側または外側円筒面であり、他方がローラキャリヤまたは受容及び取り付けハウジングにおける対応摩擦面である。他方、垂直力の形で互いに対応する摩擦面との間に摩擦力が求められる。
【００１５】
ヨーロッパ特許公開第０２９４９１９号から知られるベルト緊張装置において、摩擦のために作用する摩擦力は、２つの要素、即ち、制動ブッシュのまわりに位置決めされた帯体と、制動ブッシュのまわりに位置決めされた帯体がそれによって緊張されるばねとによって発生される。他方、本発明によるベルト緊張装置に関して摩擦のために作用する摩擦力は、唯一の要素、即ち、制動ブッシュを部分的にまたは全体的に取り囲む平らな帯状ばねによって発生され、また、平らな帯状ばねは、一方を受容及び取り付けハウジングまたはローラキャリヤに、他方を制動ブッシュに固定される。
【００１６】
前記平らな帯状ばねは、例えば、連結ホース端部での締め付けバンドのように制動ブッシュに作用するが、平らな帯状ばねが一方で受容及び取り付けハウジングまたはローラキャリヤにかつ他方で制動ブッシュに固定されるということが特に重要である。
【００１７】
本発明によるベルト緊張装置は、一方を受容及び取り付けハウジングまたはローラキャリヤに、他方を制動ブッシュに固定される平らな帯状ばねから成るので制動ブッシュは、ローラキャリヤと受容及び取り付けハウジングとの間の運動が互いに関連する摩擦面間に摩擦を発生させて制動作用をもたらすように略回転不能に固定される。
【００１８】
本発明のベルト緊張装置により、制動ブッシュは略回転不能に固定され、即ち、略回転に対して固定され、ローラキャリヤと受容及び取り付けハウジングとの間の運動が制動ブッシュの最小の回転運動に帰着することを略示している。かかる制動ブッシュの最小の回転運動は、相互に対応する摩擦面間の摩擦力が制動ブッシュに作用するトルクに帰着するという事実のためである。
【００１９】
制動ブッシュは、実際には強固に固定されずに平らな帯状ばねによって弾力的に固定されるので、制動ブッシュに作用するトルクは、また、制動ブッシュの回転運動を結果としてもたらす。制動ブッシュのかかる最小の回転運動は、部分的にまたは全体的に、制動ブッシュを取り囲む平らな帯状ばねの直径の最小の変化を引き起こし、その結果として平らな帯状ばねから生じる摩擦力の変化をもたらし、従がって更に制動作用の変化をもたらす。
【００２０】
上記説明は、負荷の印加方向、即ち、緊張力の増加方向の制動作用が、負荷軽減方向、即ち、緊張力の減少方向における望ましくない制動作用よりも大きいことを保証するのに望まれる装置を提供する。
【００２１】
細部に関する限り、本発明によるベルト緊張装置を設計しかつさらに改善する複数の可能性が存在する。このために、請求項１及び図面に関連して好適な実施例の説明に言及される従属の請求項が参照される。
【００２２】
このために、請求項１及び図面に関連して好適な実施例の説明に言及される付随する実施変形例が参照される。
【００２３】
【発明の実施の形態】
各図は、牽引手段用緊張装置、即ち、ベルト緊張装置（ベルト張力装置あるいは、ベルトテンショナーともいう）を示している。前記ベルト緊張装置は、受容及び取り付けハウジング１、受容及び取り付けハウジング１に枢動可能に接続されるローラキャリヤ２、前記受容及び取り付けハウジング１に対してローラキャリヤ２を半径方向にかつ軸方向に支持するベアリング３、緊張力（テンションあるいは張力ともいう）を印加しかつ記ローラキャリヤ２と受容及び取り付けハウジング１との間に配置されるばねを具備し、そのばねは、図示実施例において、脚部ばねの形の螺旋ばね４であり、そしてベルト緊張装置は、さらに、制動装置５を具備する。
【００２４】
図１に示されるように、実施例に示される受容及び取り付けハウジング１は２つの固定耳片６，７を備えている。固定耳片６，７及び取り付けネジ（図示せず）によって、受容及び取り付けハウジング１を、かつ従がって、ベルト緊張装置を全体として、例えば、車両エンジン（図示せず）上に固定することができる。緊張プーリ８が、好ましくは、詳細な説明を必要としない転動接触ベアリングを介して、ローラキャリヤ２に回転可能に支持される。
【００２５】
本発明のベルト緊張装置に取り付けられるとき、緊張プーリ８は駆動ベルト（図示せず）に作用する。緊張プーリ８によって、駆動ベルト（図示せず）は駆動ベルトによって駆動される補助ユニットの作用効率及び駆動ベルトの寿命に特に重要である一定のベルト緊張を備えている。本発明のベルト緊張装置に同様に設けられる制動装置５は、特に、スリップまたは振動を補償または減少するのに役立つ。
【００２６】
図２、図３及び図４に示されるように、本発明のベルト緊張装置の制動装置５は、制動ブッシュ９及び平らな帯状ばね１０を具備する。その第１端１１によって、平らな帯状ばね１０は、受容及び取り付けハウジング１に回転固定の方法において接続され、その第２端１２によって、回転不能状態に制動ブッシュ９に固定される。
【００２７】
ここで一般的に言及される型のベルト緊張装置において、即ち、また、本発明によるベルト緊張装置において、スリップまたは振動を補償または減少する制動作用は、ローラキャリヤ２と受容及び取り付けハウジング１との間の運動の結果として発生する摩擦によって達成される。
【００２８】
一方で、互いに対応する同中心に延びる摩擦面を設けることが必要であり、図示実施例において、前記摩擦面は、一方で制動ブッシュ９の内方筒状面１３及び他方でローラキャリヤ２での対応する摩擦面１４である。他方で、一対の摩擦面間に、即ち、制動ブッシュ９の内方筒状面１３とローラキャリヤ２での対応する摩擦面１４間に摩擦力の形の正常な力を設ける必要がある。
【００２９】
本発明のベルト緊張装置に関して、摩擦のために必要とされる摩擦力が単一の構成要素によって、即ち、制動ブッシュ９を部分的にまたは全体的に取り囲みかつ一方で受容及び取り付けハウジング１にかつ他方で制動ブッシュ９に固定される平らな帯状ばね１０によって発生される。前記平らな帯状ばね１０は、例えば、帯片クランプが関連のホース端に作用する同一の方法において制動ブッシュ９に作用し、そして平らな帯状ばね１０が一方で受容及び取り付けハウジング１にかつ他方で制動ブッシュ９に固定されることが特に重要である。
【００３０】
本発明によるベルト緊張装置が、一方で受容及び取り付けハウジング１にかつ他方で制動ブッシュ９に固定される平らな帯状ばね１０を備えるため、制動ブッシュ９は略回転を固定され、その結果、ローラキャリヤ２と受容及び取り付けハウジング１との間の運動が摩擦を生じ、従がって関連する摩擦面の、即ち、制動ブッシュ９の内方筒状面１３とローラキャリヤ２での対応する摩擦面１４との間に制動作用を発生させる。
【００３１】
本発明のベルト緊張装置において、制動ブッシュ９は実質上回転固定され、即ち、実質上回転を阻止される。しかしながら、実際上、ローラキャリヤ２と受容及び取り付けハウジング１との間の運動は、制動ブッシュ９の最小の回転運動を導く。前記制動ブッシュ９の最小の回転運動は、互いに対応する摩擦面間の、即ち、制動ブッシュ９の内方筒状面１３とローラキャリヤ２での対応する摩擦面１４との間の摩擦力が制動ブッシュ９に作用するトルクを導くという事実による。
【００３２】
制動ブッシュ９は、実際には堅固に固定されず、平らな帯状ばね１０によって弾力的に固定される。それゆえ、制動ブッシュ９に作用するトルクは、また、制動ブッシュ９の回転運動を生じる。前記制動ブッシュ９の最小限の回転変位の効果は、制動ブッシュ９を部分的にまたは全体的に取り囲む平らな帯状ばね１０の直径が、最小の変化を受け、そのことは平らな帯状ばね１０から結果として生じる摩擦力かつ従がって制動力が、また、変化することを意味する、
【００３３】
これは、負荷の印加の方向、即ち、増大する緊張力の方向における制動作用が負荷それ自体の方向、即ち、減少する緊張力の方向におけるよりも大きいことを保証する所望の装置を提供する。このために、平らな帯状ばね１０は、ローラキャリヤ２が負荷の印加の方向に、即ち、増大する緊張力の方向に動くとき、制動ブッシュ９を取り囲む平らな帯状ばね１０の直径が最小量まで減少するように取り付けられる。
【００３４】
上述したことから、制動ブッシュ９が、それに作用する摩擦力の結果としてその直径を変化可能でなければならないことになる。これは、十分に弾力のある材料から制動ブッシュを製造することによって達成される。しかしながら、好適な実施例において、制動ブッシュ９にスロットが設けられ、即ち、前記制動ブッシュが直径減少に適するスロット１５を具備することによって達成される。
【００３５】
制動装置５と連係する平らな帯状ばねが、その第１端１１によって、回転不能状態に受容及び取り付けハウジング１（またはローラキャリヤ２）に接続され、そしてその第２端１２によって、前記平らな帯状ばね１０が回転不能状態に制動ブッシュ９に接続されることが、本発明の一部を形成する。これは、種々の方法で達成される。
【００３６】
平らな帯状ばね１０は、好ましくは、その第１端１１によって、受容及び取り付けハウジング１に、即ち、実施例に示されるように、形状嵌合において固定され、その第１端１１によって、平らな帯状ばね１０は受容及び取り付けハウジング１に設けられた取り付けスロット１６内に保持される。
【００３７】
その第１端１１によって、平らな帯状ばね１０を固定することに関連して上述されたことは、また、その第２端１２によって、平らな帯状ばね１０を固定することに適用される、即ち、平らな帯状ばね１０は、その第２端１２によって、制動ブッシュ９に形状嵌合または材料錠止方法において固定される。特に、平らな帯状ばね１０は、その第２端１２によって、制動ブッシュ９に設けられた固定スロット１７内に保持される。制動ブッシュ９の直径減少用スロット１５内にその第２端１２によって平らな帯状ばね１０を保持する可能性は図示されない。
【００３８】
本発明のベルト緊張装置に関連してすでに述べられたように、受容及び取り付けハウジング１に対してローラキャリヤ２を半径方向にかつ軸方向に保持するベアリング３が設けられる。図に示した実施例において、受容及び取り付けハウジング１に対してローラキャリヤ２を支持するベアリング３は、ローラキャリヤ２に接続されたベアリングブッシュ１８及び受容及び取り付けハウジング１に接続されたベアリングピン１９から成っている。ベアリングブッシュ１８は、順次、半径方向の支持を設けるのに役立つベアリングスリーブ２０と軸方向の支持を設けるのに役立つベアリングカラー２１とから成る。
【００３９】
本発明のベルト緊張装置において、ローラキャリヤ２と受容及び取り付けハウジング１との間に緊張力を設けるのに役立つばねは、平らな螺旋ばねの形で設けられる。しかしながら、図示実施例において、ローラキャリヤ２と受容及び取り付けハウジング１との間に緊張力を印加するのに必要とされるばねは、脚部ばねの形の螺旋ばね４の形で設けられる。そしてそれは、また、緊張負荷を受ける螺旋ばね４が、また、ローラキャリヤ２を受容及び取り付けハウジング１に接続しかつローラキャリヤ２を受容及び取り付けハウジング１に対してベアリング３を介して軸方向に固定する図示実施例にも適用される。
【００４０】
この設計においてベアリングブッシュ１８のベアリングカラー２１と受容及び取り付けハウジング１との間に発生する摩擦は、運動がローラキャリヤ２と受容及び取り付けハウジング１との間に引き起こされるならば、制動装置５の領域においてゆっくりと発生される摩擦に対して無視し得るように小さい。
【００４１】
説示された実施例に関するかぎり、制動ブッシュ９は平らな帯状ばね１０を介して受容及び取り付けハウジング１に回転不能状態に固定される。また、制動ブッシュ９を平らな帯状ばね１０を介してローラキャリヤ２に回転不能状態に固定し得ることは言うまでもない。
【００４２】
最後に、指摘されるべきことは、本発明によるベルト緊張装置の図示された実施例によれば、緊張ブッシュ２２が緊張ピン２３を備えているということである。緊張ブッシュ２２は、ローラキャリヤ２と受容及び取り付けハウジング１との間の考え得る運動を制限するためのストッパとして役立っている。緊張ブッシュ２２を通して挿入される緊張ピン２３は、本発明のベルト緊張装置を取り付け位置に取り付けるのに使用できる。
【００４３】
本発明の実施の形態を以下に要約列挙する。
【００４４】
＜１＞ 受容及び取り付けハウジングを有し、前記受容及び取り付けハウジングに枢動可能に接続されるローラキャリヤを有し、前記受容及び取り付けハウジングに対して前記ローラキャリヤを半径方向にかつ軸方向に支持するベアリングを有し、緊張力を印加するために前記ローラキャリヤと前記受容及び取り付けハウジングとの間に配置されるばねを有し、そして、制動装置を有し、この制動装置が制動ブッシュを含みそして摩擦により、制動作用が減少緊張力の方向におけるより増大する緊張力の方向において大きいように前記ローラキャリヤと前記受容及び取り付けハウジングとの間の運動を制動する、牽引手段用緊張装置、特にベルト緊張装置において、前記制動ブッシュ（９）へ摩擦力を印加するために、平らな帯状ばね（１０）が設けられ、そしてその第１端（１１）によって、前記平らな帯状ばね（１０）が前記受容及び取り付けハウジング（１）に固定されかつその第２端（１２）によって、回転不能状態に前記制動ブッシュ（９）に固定された牽引手段用緊張装置、特にベルト緊張装置。
【００４５】
＜２＞ 前記制動ブッシュ（９）が弾性材料である上記＜１＞に記載の牽引手段用緊張装置、特にベルト緊張装置。
【００４６】
＜３＞ 前記制動ブッシュ（９）にスロットが設けられ、即ち、前記制動ブッシュ（９）が直径減少用のスロット（１５）を具備することである上記＜１＞に記載の牽引手段用緊張装置、特にベルト緊張装置。
【００４７】
＜４＞ その第１端（１１）によって、前記平らな帯状ばね（１０）が形状嵌合または材料錠止方法において前記受容及び取り付けハウジング（１）に固定されることである上記＜１＞ないし＜３＞に記載の牽引手段用緊張装置、特にベルト緊張装置。
【００４８】
＜５＞ 前その第１端（１１）によって、前記平らな帯状ばね（１０）が前記受容及び取り付けハウジング（１）に設けられた取り付けスロット（１６）内に保持されることである上記＜４＞に記載の牽引手段用緊張装置、特にベルト緊張装置。
【００４９】
＜６＞ その第２端（１２）によって、前記平らな帯状ばね（１０）が形状嵌合または材料錠止方法において前記制動ブッシュ（９）に固定されることである上記＜１＞ないし＜５＞のいずれか１項に記載の牽引手段用緊張装置、特にベルト緊張装置。
【００５０】
＜７＞ その第２端（１２）によって、前記平らな帯状ばね（１０）が前記制動ブッシュ（９）に設けられた固定スロット（１７）内に保持されることである上記＜６＞に記載の牽引手段用緊張装置、特にベルト緊張装置。
【００５１】
＜８＞ その第２端（１２）によって、前記平らな帯状ばね（１０）が前記制動ブッシュ（９）の直径減少用スロット（１５）内に保持されることである＜３＞ないし＜５＞のいずれか１つに記載の牽引手段用緊張装置、特にベルト緊張装置。
【００５２】
＜９＞ 前記受容及び取り付けハウジング（１）に対して前記ローラキャリヤ（２）を半径方向にかつ軸方向に支持するベアリング（３）が前記ローラキャリヤ（２）に接続されたベアリングブッシュ（１８）及び前記受容及び取り付けハウジング（１）に接続されるベアリングピン（１９）から成ることである上記＜１＞ないし＜８＞のいずれか１つに記載の牽引手段用緊張装置、特にベルト緊張装置。
【００５３】
＜１０＞ 前記ベアリングブッシュ（１８）が半径方向の支持体を設けるのに役立っているベアリングスリーブ（２０）及び軸方向の支持体を設けるのに役立っているベアリングカラー（２１）から成る上記＜９＞に記載の牽引手段用緊張装置、特にベルト緊張装置。
【００５４】
＜１１＞ 前記ローラキャリヤと前記受容及び取り付けハウジングとの間に設けられかつ緊張力を設けるのに役立っている前記ばねが平らな帯状ばねの形状に設けられることである上記＜１＞ないし＜１０＞のいずれか１つに記載の牽引手段用緊張装置、特にベルト緊張装置。
【００５５】
＜１２＞ 前記ローラキャリヤ（２）との間に設けられたばねが螺旋ばね（４）であることである＜１＞ないし＜１０＞のいずれか１つに記載の牽引手段用緊張装置、特にベルト緊張装置。
【００５６】
＜１３＞ 前記螺旋ばね（４）が、緊張負荷を受けるとき、また、前記ローラキャリヤ（２）を前記受容及び取り付けハウジング（１）に接続しかつ、前記受容及び取り付けハウジング（１）に対して、前記ベアリング（３）を介して、前記ローラキャリヤ（２）を軸方向に固定することである上記＜１２＞に記載の牽引手段用緊張装置、特にベルト緊張装置。
【００５７】
【発明の効果】
叙上のごとく、本発明は、受容及び取り付けハウジングを有し、前記受容及び取り付けハウジングに枢動可能に接続されるローラキャリヤを有し、前記受容及び取り付けハウジングに対して前記ローラキャリヤを半径方向にかつ軸方向に支持するベアリングを有し、緊張力を印加するために前記ローラキャリヤと前記受容及び取り付けハウジングとの間に配置されるばねを有し、そして、制動装置を有し、この制動装置が制動ブッシュを含みそして摩擦により、制動作用が減少緊張力の方向におけるより増大する緊張力の方向において大きいように前記ローラキャリヤと前記受容及び取り付けハウジングとの間の運動を制動する、牽引手段用緊張装置、特にベルト緊張装置において、制動ブッシュへ摩擦力を印加するために、平らな帯状ばねが設けられ、そしてその第１端によって、前記平らな帯状ばねが回転不能状態に前記受容及び取り付けハウジングに固定されかつその第２端によって、回転不能状態に前記制動ブッシュに固定される構成としたので、従来のベルト緊張装置よりコスト的に有効に製造され得るように基礎が置かれるベルト緊張装置の設計及び製造技術を簡単化し得る牽引手段用緊張装置、特にベルト緊張装置を提供する。
【図面の簡単な説明】
【図１】  本発明の牽引手段用緊張装置を示す平面図である。
【図２】  図１の線II−IIに沿って切断して示す断面図である。
【図３】  図１の線III−IIIに沿って切断して示す断面図である。
【図４】  図２の線IV−IVに沿って切断して示す断面図である。
【符号の説明】
１    受容及び取り付けハウジング
２    ローラキャリヤ
３    ベアリング
４    螺旋ばね
５    制動装置
９    制動ブッシュ
１０  平らなベルトばね
１１  平らなベルトばねの第１端
１２  平らなベルトばねの第２端
１３  制動ブッシュの内方筒状面
１４  摩擦面
【図１】
0003660651.tif 000002
【図２】
0003660651.tif 000003
【図３】
0003660651.tif 000004
【図４】
0003660651.tif 000005